(57)【要約】      （修正有）【課題】襟を変えるだけで衣類に大きな変化と多様性をもたらす、取り外し可能な襟を有する衣類を提供する。【解決手段】衣類と襟は別々に用意されており、ファスナー、マジックテープ、または多数のボタンによってつなぎ合わされる。襟を取り外すことができるので、衣類自体を捨てることなく、しみ汚れがついた襟だけを取り替えることができる。さらに、取り外し可能な襟によって、ただ襟を変えるだけで、衣類に大きな変化と多様性をもたらすことができる。【選択図】図１
0003115669.tif 000002
【実用新案登録請求の範囲】
【請求項１】
取り外し可能な襟を有する衣類であって
衣類本体は首の開口を有しており、
襟は外側に折りたたまれた襟部および襟部の下に覆われた首開口部を有し、首開口部は衣類本体の首の開口に対応しており、
衣類本体の首の開口は襟部と襟の首開口部の間に配置され、接続手段が首の開口の内側と首開口部の間に設置された衣類。
【請求項２】
接続手段にファスナーを含む、請求項１に記載の衣類。
【請求項３】
接続手段にマジックテープを含む、請求項１に記載の衣類。
【請求項４】
接続手段に多数のボタンを含む、請求項１に記載の衣類。
【請求項５】
外側に折り曲げられた襟部と、
襟部の下に覆われた首開口部を有する衣類であって、
首開口部に隣接した襟部の一方にファスナーの片側が取り付けられた衣類。
【請求項６】
襟の首開口部に対応する首の開口を有する衣類であって、首の開口の内側にファスナーのもう一方が取り付けられた、請求項５に記載の衣類。
【請求項７】
外側に折り曲げられた襟部と、
襟部の下に覆われた首開口部を有する衣類であって、
首開口部に隣接した襟部の一方にマジックテープが取り付けられた衣類。
【請求項８】
襟の首開口部に対応する首の開口を有する衣類であって、首の開口の内側にマジックテープのもう一方が取り付けられた、請求項７に記載の衣類。
【考案の詳細な説明】
【技術分野】
【０００１】
本考案は主に衣類に係り、特に襟の交換を可能にするための、取り外し可能な襟を有する衣類に関する。
【考案の開示】
【考案が解決しようとする課題】
【０００２】
衣類は我々の日常生活において非常に重要な役割を果たしている。人類に文化が興って以来、衣類を着用することは人類の生活にとって、一般的、基本的なニーズとなっている。現代において、衣類を着用する目的は暖かさを保つという基本的なニーズをはるかに超えている。それはむしろ、個人のスタイルを示すことであり、マナーの問題でもある。
【０００３】
フォーマルでエレガントなスーツを合わせることが多い男性用シャツを例に挙げる。一度、シャツの襟の内側にしみ汚れがつくと、特に明るい色のシャツの場合、汚れを落とし去るのは難しい。しみ汚れがついた襟をクリーニングしたりこすり洗いして、襟自体を傷めてしまうこともある。襟が傷んでしまっただけでシャツを捨ててしまうのは非常にもったいない。
【０００４】
よって、本考案の考案者は従来の技術の欠点を認識し、上記の欠点を克服できる本考案を開発した。
【課題を解決するための手段】
【０００５】
本考案は取り外し可能な襟を有する衣類を提供する。衣類及び襟は別々に用意されており、ファスナー、マジックテープ（登録商標）、または多数のボタンによってつなぎ合わせられる。襟を取り外すことができるため、衣類そのものを捨てなくても、しみ汚れのついた襟だけを交換することができる。
【考案の効果】
【０００６】
本考案は、襟を変えるだけで衣類に大きな変化と多様性をもたらす、取り外し可能な襟を有する衣類を提供する。
【考案を実施するための最良の形態】
【０００７】
上記目的およびその他の目的を実現するために、本考案の衣類は首の開口を有する衣類本体と、外側に折り曲げられた襟部を有する襟と、襟部に覆われた首開口部とを有する。首開口部は衣類本体の首の開口と対応する。衣類本体の首の開口は、襟部と襟の首開口部との間に配置されている。更に、接続手段は首の開口の内側と首開口部の間に配置されている。襟と衣類の接続手段には、ファスナー、マジックテープ（登録商標）、又は多数のボタンを使用することができる。
【０００８】
上記目的およびその他の目的を実現するために、本考案は襟を提供する。襟は外側に折り曲げられた襟部と、襟部の内側に覆われた首開口部を有する。襟部に隣接した首開口部の一方にはファスナーの片側又は、マジックテープ（登録商標）の片側が取り付けられている。
【０００９】
上記目的およびその他の目的を実現するために、本考案は前述の襟とつなぎ合わせる衣類を提供しており、衣類には首の開口がある。首の開口は首開口部と対応する。首の開口の内側にはファスナーのもう一方、又はマジックテープ（登録商標）のもう一方を有している。
【００１０】
本考案に含まれる特長と技術をより理解するために、以下に本考案の詳細を添付図面に従って説明する。しかしながら、添付図面は図示及び説明の利便のためのものであって、いかなる限定も意図していない。
【実施例１】
【００１１】
図１及び図２は本考案の第一の実施例に沿った、襟と衣類本体を分離した図、および襟と衣類本体をつなぎ合わせた図である。図のように、本考案の取り外し可能な襟を有する衣類は衣類本体１及び襟２を有している。衣類本体１及び襟２は別々に用意されている。
【００１２】
衣類本体１は襟がなくても普通の男性用シャツとなり得る。衣類本体１は首の開口１０を有する。襟２は衣類本体１とは別々に用意されている。襟２の衣類の模様は衣類本体１の衣類の模様とは違うものであってもよい。襟２は外側に折り曲げられた襟部２０と、襟部２０の下に覆われた首開口部２１を有している。首開口部２１は衣類本体１の首部１０とつなぎ合わせられる。この場合、衣類本体１における首の開口１０の内側はファスナー３、またはマジックテープ（登録商標）４（図3で示すように）のような接続手段によって襟２の首開口部２１とつなぎ合わされ、その結果、衣類本体１と襟２がつなぎ合わされる。さらに、衣類本体１の首の開口１０は襟部２０と襟２の首開口部２１の間に配置されている。その結果、ファスナー３又はマジックテープ（登録商標）４は外側から見えない。
【００１３】
再度図１を参照すると、接続手段はファスナー３である。ファスナー３の片側３０は襟部２０に隣接した襟2の首開口部２１に縫い付けられている。ファスナー３のもう一方３１は衣類本体１の首の開口１０の内側に縫い付けられている。
【実施例２】
【００１４】
図３を参照すると、接続手段はマジックテープ（登録商標）４である。マジックテープ（登録商標）４０の片側（例えばフック側）は襟２の首開口部２１に縫い付けられており、一方マジックテープ（登録商標）４０のもう一方（例えばループ側）は衣類本体１の首の開口１０の内側に縫い付けられている。さらに、接続手段は多数のボタンでも可能である。このようにして、取り外し可能な襟を有する衣類が得られる。
【００１５】
したがって、本考案は取り外し可能な襟を有する衣類を提供する。洗濯のために襟を簡単に取り外すことができ、傷んだら取り替えることもできる。更に、襟の色や模様は衣類のそれと違うものであってもよい。このように、ただ襟を交換するだけで衣類に大きな変化と多様性をもたらすことができる。
【００１６】
つまり、本考案は法的要件を満たしており、謹んで査定を賜るよう願う。
【００１７】
同業の者であれば、上記の特長を踏まえてすぐにさまざまな修正、変更を試み、本考案と同等のものを考案するかもしれない。しかし、本考案の範囲が以下の請求項により定義され、いかなる同等の考案も本考案の請求項で定義した範囲内であるとみなされることを望む。
【図面の簡単な説明】
【００１８】
【図１】本考案の実施例１に沿った、襟と衣類本体を分けた図
【図２】本考案の実施例１に沿った、襟と衣類本体をつなぎ合わせた図
【図３】本考案の実施例２に沿った、襟と衣類本体を分けた図
【図１】
0003115669.tif 000003
【図２】
0003115669.tif 000004
【図３】
0003115669.tif 000005